(57)【特許請求の範囲】
【請求項１】
溶媒としてアルコールを含む水をいれた小型容器を被験者の所定部位へ押し当てて皮膚を溶媒に浸たし、皮膚から発汗される汗を溶媒に溶かすことで汗を採取する汗採取方法。
【請求項２】
汗を採取する際に、汗を採取する部位と発汗が関連する部位の発汗量を測定し、測定された発汗量を採取された汗の量とみなして、採取される汗の量をモニタリングすることを特徴とする請求項１記載の汗採取方法。
【請求項３】
発汗が関連する部位として、汗を採取する部位と体の左右で対称となる部位の発汗量を測定することを特徴とする請求項２記載の汗採取方法。
【請求項４】
汗を採取する前に、汗の採取する部位の皮膚を流水で所定時間清浄することを特徴とする請求項１記載の汗成分採取方法。
【発明の詳細な説明】
【０００１】
【発明の属する技術分野】
本発明は被験者が発汗する汗を採取する方法で、特に採取した汗に含まれる生体成分を測定する非侵襲測定に用いるのに好適な汗採取方法に関する。
【０００２】
【従来の技術】
ひとの血液や血清を試料として生化学的手法や免疫学的手法で各種の生体成分測定する方法が臨床検査等で広く行われている。しかし、その測定をするためには被験者より血液を採血しなくてはならず被験者の負担が大きく、又その採血は医師など血液採血資格者によって行われなくてはならないため、いつでもどこででも行なえるような検査ではない。
【０００３】
そこで、被験者に負担のかからない非侵襲検査にて生体成分を測定する方法が各種試みられている。そのなかでも、汗は体表面に発汗される液体で非侵襲的に採取することが可能であり、人の代謝に基づいて分泌された各種の生体成分が含まれているため、非侵襲検査の対象のひとつとして注目されている。そこで被験者の汗を採取する方法が幾つか検討されている。
【０００４】
汗の採取方法としては、皮膚表面に装着するパッチ式のものが簡便なものとして用いられている。この方法は吸湿素材を皮膚表面に貼り付ける方法で、吸湿素材に含まれる汗中生体成分を測定することができる。又、アームパック法として、肘から先をビニール袋で覆いゴムバンド等で袋を塞いで、腕から滴下する汗を採取する方法が知られている。
【０００５】
【発明が解決しようとする課題】
しかし、パッチ法では吸湿素材に吸収された状態で汗を採取するため、汗成分を測定する測定方法にどうしても制限があるという問題があり、ビニールパック法で汗を必要量滴下させるまで発汗させるのは大変でなかなか採取できないという問題がある。そして、吸湿素材に吸収されたり、ビニール袋に滴下した汗だけが採取されるので、皮膚表面で乾燥した汗に含まれていた生体成分は皮膚についたままで採取はされない。さらに、パッチ法では採取された汗の量がわからないため、測定にて成分が検出できなかった際も、汗自体の採取が不充分であったのか、汗に含まれていなかったのかが分らないという問題がある。
【０００６】
これらの問題を解決するため、本発明の発明者らから、皮膚表面にカプセルを密着させその中に除湿空気を供給して、その水分量を測定してコンプレッサーで採取部に移送して分泌物を測定する装置が出願されている（特開平１０―２３９３０９号）。しかしこの装置には冷却採取部が必要で大がかりになるという問題が残されている。
【０００７】
本発明は、被験者に負担を与えないような簡単かつ短時間で被験者の汗を効率的に採取することができる方法を提供するものである。さらに、対応する別の部位の発汗量を測定することで、発汗採取のモニタリングをすることができる汗採取方法を提供するものである。
【０００８】
【課題を解決するための手段】
本発明の汗採取方法は、溶媒としてアルコールを含む水をいれた小型容器を片方の手の所定部位へ押し当てて皮膚に溶媒を浸たし、皮膚から発汗される汗を溶媒に溶かすことで汗を採取する汗採取方法である。
さらに第二の発明として、汗を採取する際に、もう片方の手の採取する部位と対応する部位の発汗量を測定し、測定された発汗量を採取された汗の量とみなして、採取される汗の量をモニタリングすることを特徴とする汗採取方法である。
【０００９】
本発明で採取される汗には、皮膚表面より分泌される生体成分も含まれる。本発明の汗の採取に用いる採取容器は、容器中の溶媒が皮膚を浸すようにすることで汗を溶媒に溶かし込むためのものである。この採取容器の開口面積が一定にすれば皮膚単位面積あたりの発汗を反映する。採取容器としてサンプルチューブ（５００μｌ容）を用いると採取した後、蓋をして保管することができ、遠心機にそのままかけることもできる。平べったい容器を用いれば皮膚表面に貼付けやすい。
【００１０】
本発明に用いる溶媒は、汗を汗中生体成分とともに溶かす溶媒が測定する生体成分の種類や測定方法に応じて適宜選択される。アルコールを含む蒸留水が汗と汗中生体成分とを溶かすのに好適である。
【００１１】
被験者の皮膚表面には通常、他への接触等による様々な成分がついているので、汗を採取する前に採取する皮膚表面部を清浄にする必要がある。この清浄方法については、アルコール消毒では皮膚に対する刺激が強すぎるのか発汗が制限されるため好ましくない。常温の蒸留水を汗採取部位に短時間（５から１５秒間位が好適）流すことで、皮膚表面の不純物は落とされ、汗の発汗も制限されないので汗採取前の清浄方法として好適である。
【００１２】
又、汗の発汗量については外部環境や個人差さらにその日の体調などで大きく変化するため、採取条件を一定にしてもどの程度の汗が採取されたのかが分らない。しかし、本法では汗を直接溶媒に溶かし込むため、汗の採取量を測定することは困難である。そこで、特定部位の発汗量を調べる装置を用いて、右手と左手との掌側の同じ部位の発汗量をしらべたところ、驚くことにほぼ同じ量の汗が発汗されているという結果が図２のように得られた。それで、片方の手で汗採取を行ない、同時に逆の手の同じ部位における発汗量を発汗量測定装置を用いて測定することで、採取された汗の量を推定することが可能となった。すなわち汗を採取する部位と体の左右で対称となる部位の発汗量をこの発汗量測定装置で測定し、測定された発汗量を採取された汗の量とみなして、汗採取量をモニタリングすることである。この方法では汗採取条件をモニタリングによって任意に設定することが可能となり、測定した生体成分の汗中の濃度を演算することも可能となった。
【００１３】
【実施例】
以下、本発明の一実施例を図面を参照しながら説明する。本実施例では被験者の汗中のカフェイン濃度の測定を以下のように行なった。
（１）被験者にはカフェイン錠剤（Ｋａｆｅ ｓｏｆｔ 無水カフェイン９３ｍｇ含有）を飲用させる。
（２）被験者の両手を常温の蒸留水にて１０秒間流し、清浄にする。
（３）それから５分間待った後、１％アルコール水溶液７０μｌを入れた５００μｌ容サンプルチューブを拇指掌側中心部に図１のようにひっくり返して押し当て、押し当てたままひっくり返す転倒を３分間行ない、皮膚表面を溶媒に浸す。
（４）それと同時にもう片方の手の拇指の同じ部位に局所発汗計測装置（スズケン製Ｋｅｎｚ Ｐｅｒｓｐｉｒｏ ＯＳＳ−１００）を取り付け、汗の発汗量をモニタリングする。
（５）このようにして汗採取したサンプルチューブ中の溶媒をガスクロマトグラフィー／質量分析計にて、カフェイン濃度を測定した。
【００１４】
以上の操作により、溶媒中のカフェイン濃度（図３の■）と汗発汗量（図３の▲）と汗中のカフェイン濃度（図４）が得られた。汗中のカフェイン量は、採取後２５分ですでに分泌され、１時間あたりに最大値を持ち、５時間でかなり低下してしまうというカフェイン摂取後のモニタリング結果が得られた。
【００１５】
【発明の効果】
この方法によって、血液を採血することもなく容易にモニタリングするための汗採取することができる。汗の発汗量も測定しているので汗採取の実質的な監視をすることもできる。本発明が提供する汗採取方法は簡便な方法でモニタリングも容易であるので、汗の非侵襲検査に役立てることができるものである。又、汗に分泌される生体成分についてはまだまだ調べられていないものが多い。熱や刺激をくわえることで汗の量が増えることが知られているが、その際単に水分のみが増えるのか生体成分の分泌量も増えるのかなど本発明で様々な汗に関する研究も可能となる。
【００１６】
【図面の簡単な説明】
【図１】拇指に容器を押し当て、皮膚表面を溶媒に浸した状態のブロック図である。
【図２】左右拇掌側の発汗量の相関を調べた相関図である。
【図３】本実施例の採取された汗を含む溶媒のカフェイン濃度と発汗量の経時変化図である。
【図４】本実施例の採取された汗を含む溶媒のカフェイン濃度と発汗量より求められた汗中のカフェイン濃度の経時変化図である。
【図１】
0004403568.tif 000002
【図２】
0004403568.tif 000003
【図３】
0004403568.tif 000004
【図４】
0004403568.tif 000005